(57)【要約】【課題】油捕集手段の掃除性を維持しつつ十分に浄化された空気を屋外に排出することができるレンジフードを提供する。【解決手段】調理時に発生した油煙は吸込口１０１よりフード内部に吸込まれ、油捕集手段１０５に衝突することによって油分が捕集される。そして油捕集手段１０５を通過した油煙は導入口１３より廃気口１０２と循環口１へ分岐し、廃気口１０２へ流通した空気はダクトを通って屋外へ排出され、循環口１へ流通した空気は循環口誘導板３によって吸込口１０１方向へ誘導され、吸込口誘導板４によって再び吸込口１０１からフード内部へ流通し、再度油捕集手段１０５に衝突する。【選択図】図１
2006214618.tif 000002
【特許請求の範囲】
【請求項１】
本体と調理時に発生した油煙を吸込む吸込口と前記吸込口より吸込まれた油煙に含まれている油分を捕集する油捕集手段と油煙を排出する循環口と油煙を廃気する廃気口と前記吸込口から前記廃気口と前記循環口の２方向に送風する送風手段を備え、前記送風手段によって前記循環口より排出した油煙が前記吸込口より前記本体内に吸込まれるようにすることを特徴とするレンジフード。
【請求項２】
循環口から排出した油煙を吸込口方向へ誘導する循環口誘導板と、前記循環口誘導板によって前記吸込口方向へ誘導された油煙を吸込口へ誘導する吸込口誘導板を備えていることを特徴とする請求項１記載のレンジフード。
【請求項３】
循環口から排出した油煙の主流が本体の下面に沿って流れるようにする風向制御装置を有している請求項１または２記載のレンジフード。
【請求項４】
循環口誘導板の循環口に対向した面に突起物を設けたことを特徴とする請求項３記載のレンジフード。
【請求項５】
本体の下面もしくは循環口誘導板に防汚処理を施していることを特徴とする請求項１〜４のいずれかに記載のレンジフード。
【請求項６】
レンジフードに付着した油を一箇所に集める集油装置を備えていることを特徴とする請求項１〜５のいずれかに記載のレンジフード。
【請求項７】
本体の下面もしくは循環口誘導板が水平方向に対して傾斜を有しており、前記本体と前記循環口誘導板の最下部に調理時に発生した油煙の油分を溜める油受け部を備えている請求項６記載のレンジフード。
【請求項８】
油受け部に溜まった油量を測定する油煙測定手段を備え、油受け部に溜まった油量が一定量を越えたときに警報を発する警報手段を備えていることを特徴とする請求項７記載のレンジフード。
【請求項９】
油受け部に溜まっている油を分解する分解装置を設けた請求項７記載のレンジフード。
【請求項１０】
油受け部に溜まった油量を測定する油煙測定手段を備え、油受け部に溜まった油量が一定流量を越えたときに分解装置を自動で作動させる自動制御手段を有していることを特徴とする請求項８記載のレンジフード。
【請求項１１】
廃気口ならびに循環口から排出される風量を多段階もしくは無段階に調節可能であることを特徴とする請求項１〜１０のいずれかに記載のレンジフード。
【請求項１２】
調理時に発生した油煙に含まれる油分の濃度を測定できる油煙測定手段を備え、前記油煙測定手段によって測定された油煙濃度に応じて、循環口から排出する風量を自動で調節することができる自動制御手段を有している請求項１１記載のレンジフード。
【発明の詳細な説明】
【技術分野】
【０００１】
本発明は、調理時に発生する油煙を捕集し、捕集した油煙を浄化したのち屋外へ廃気するレンジフードに関する。
【背景技術】
【０００２】
従来、調理時に発生する油煙を捕集し、浄化したのち屋外に廃気するレンジフードとして、油煙に含まれている油分を捕集するための油捕集手段が設けられているものが知られている（例えば、特許文献１参照）。
【０００３】
以下、そのレンジフードについて図３を参照しながら説明する。図３に示すように従来のレンジフードは、箱状で下面に吸込口１０１を有し、上面に廃気口１０２を設けた本体１０３と、吸込口１０１から廃気口１０２へ空気を流通させる送風機１０４と、送風機１０４の風上側に設けられ、吸込口１０１から吸込まれた油煙に含まれている油分を捕集する油捕集手段１０５とで構成されている。
【０００４】
そして、このように構成されたレンジフードを調理器具の上方に設置することによって、調理時に発生した油煙は吸込口１０１より本体１０３に吸込まれ、油捕集手段１０５に衝突することによって油分が捕集されたのち、廃気口１０２から屋外へ排出されるものである。
【特許文献１】実用新案登録第２５１２４８６号公報
【発明の開示】
【発明が解決しようとする課題】
【０００５】
しかし、油捕集手段１０５として掃除性を考慮してパンチングメタルフィルタを使用した場合、油捕集率が低いために油煙を十分に浄化・捕集できないまま屋外に排出してしまうという課題があった。また、ワンパス能力を重視して不織布や発泡金属を使用した場合、油煙を十分に浄化したのち屋外に排出することができるが、目詰まりによって風量が低下したりフィルタの掃除性が悪いという課題があった。
【０００６】
本発明は上記の課題を解決するものであり、油捕集手段の掃除性を維持しつつ油煙を十分に浄化・捕集したのち屋外に排出することができるレンジフードを提供することを目的としている。
【課題を解決するための手段】
【０００７】
本発明のうち請求項１記載の発明は、上記目的を達成するために循環口から吹出した油煙が吸込口より再び本体へ吸込まれることを特徴とするものである。この発明により、油捕集手段の掃除性を維持しつつ油煙を十分に浄化したのち屋外へ廃気することができる。
【０００８】
また請求項２記載の発明は、上記目的を達成するために循環口から吹出した油煙を吹出口方向に誘導する循環口誘導板と、循環口誘導板によって誘導された油煙を吹出口から本体へ誘導する吸込口誘導板を備えていることを特徴とするものである。この発明により、誘導流効果によって廃気捕集効率を向上させることができる。
【０００９】
また請求項３記載の発明は、上記目的を達成するために循環口から室内へ排出した油煙の主流が本体の下面に付着して流れるようにする風向制御装置を有していることを特徴としており、請求項４記載の発明は、請求項３記載の発明に対する具体的事例を記している。これらの発明により、誘導板効果を促進させ、その結果廃気捕集効率をさらに高めることができる。
【００１０】
また請求項５記載の発明は、上記目的を達成するために本体の下面または循環口誘導板に防汚処理を施していることを特徴とするものである。この発明により、本体の下面または循環口誘導板に油分が残留することがなく、その結果フード下面の掃除を容易に行なうことができる。
【００１１】
また請求項６記載の発明は、上記目的を達成するためにレンジフードに付着した油を一箇所に集めることができる集油装置を備えていることを特徴とするものであり、請求項７記載の発明は、請求項７記載の発明に対する具体的事例を記している。これらの発明により、レンジフードに付着した油が一箇所に集まるため、掃除の手間を省くことができる。
【００１２】
また請求項８記載の発明は、上記目的を達成するために油受け部に溜まった油量を測定する油煙測定手段を備え、油受け部に溜まった油量が一定量を超えたときに調理者に促す警報手段を備えていることを特徴とするものである。この発明により、油受け部に溜まった油が溢れることを防ぐことができる。
【００１３】
また請求項９記載の発明は、上記目的を達成するために油受け部に溜まっている油分を分解するための分解装置を備えていることを特徴とするものである。この発明により、油受け部に溜まっている油分を捨てる手間を省くことができる。
【００１４】
また請求項１０記載の発明は、上記目的を達成するために油受け部に溜まった油量を測定する油煙測定手段を備え、油受け部に溜まった油量が一定量を超えたときに分解装置を自動で作動させる自動制御手段を有していることを特徴とするものである。この発明により、分解装置に関して余分なエネルギーを消費することを防ぐことができる。
【００１５】
また請求項１１記載の発明は、廃気口ならびに循環口から排出される風量を多段階もしくは無段階に調節可能であることを特徴とするものである。この発明により、油煙の発生が少ない場合には循環口から排出される風量を押さえることができ、低騒音でかつ余分な電力を消費することを防ぐことができる。
【００１６】
また請求項１２記載の発明は、調理時に発生した油煙に含まれる油分の濃度を測定できる油煙測定手段を備え、前記油煙測定手段によって測定された油煙濃度に応じて、循環口から排出する風量を自動で調節することができる自動制御手段を有しているものである。この発明により、煮物などあまり油煙の発生しない調理の場合に低騒音でかつ余分なエネルギーを消費することを防ぐことができる。
【発明の効果】
【００１７】
本発明によれば、油捕集手段の掃除性を維持しつつ、調理時に発生する油煙中を十分に浄化・捕集したのちに屋外へ廃気するレンジフードを提供することができる。
【発明を実施するための最良の形態】
【００１８】
本発明のうち請求項１記載の発明は、循環口から吹出した油煙が吸込口より本体へ吸込まれることを特徴とするものであり、再度油捕集手段を通過することによって調理時に発生する油煙を十分に浄化することができるという作用を有する。
【００１９】
また請求項２記載の発明は、循環口から吹出した油煙を吹出口方向に誘導する循環口誘導板と、循環口誘導板によって誘導された油煙を吹出口から本体へ誘導する吸込口誘導板を備えていることを特徴とするものであり、循環口から排出された空気が誘導流となり、循環口誘導板の周囲の空気を誘引するという作用を有する。
【００２０】
また請求項３記載の発明は、循環口から室内へ排出した油煙の主流が本体の下面に付着して流れるようにする風向制御装置を有していることを特徴とし、請求項４記載の発明は、請求項３記載の発明に対する具体的事例を記している。そしてこれらの発明は、コアンダ効果により油煙の風速が上昇し、より誘導流効果が強まるという作用を有する。
【００２１】
また請求項５記載の発明は、本体の下面もしくは循環口誘導板に防汚処理を施していることを特徴とするものであり、本体の下面もしくは循環口誘導板に付着した油を浮き上がらせるという作用を有する。
【００２２】
また請求項６記載の発明は、レンジフードに付着した油を一箇所に集めることができる集油装置を備えていることを特徴とするものであり、請求項７記載の発明は、請求項７記載の発明に対する具体的事例を記している。そしてこれらの発明は、レンジフードに付着した油を一箇所に捕集するという作用を有する。
【００２３】
また請求項８記載の発明は、油受け部に溜まった油量を測定する油煙測定手段を備え、油受け部に溜まった油量が一定量を超えたときに調理者に促す警報手段を備えていることを特徴とするものであり、油受け部に溜まった油が溢れることを防ぐことができるという作用を有する。
【００２４】
また請求項９記載の発明は、油受け部に溜まっている油を分解するための分解装置を備えていることを特徴とするものであり、油受け部に溜まっている油を水と二酸化炭素に分解するという作用を有する。
【００２５】
また請求項１０記載の発明は、油受け部に溜まった油量を測定する油煙測定手段を備え、油受け部に溜まった油量が一定量を超えたときに分解装置を自動で作動させる自動制御手段を有していることを特徴とするものであり、分解装置に関して余分なエネルギーを消費することを防ぐことができるという作用を有する。
【００２６】
また請求項１１記載の発明は、廃気口ならびに循環口から排出される風量を多段階もしくは無段階に調節可能であることを特徴とするものであり、油煙の発生が少ない場合には循環口から吹出す風量を押さえることができるという作用を有する。
【００２７】
また請求項１２記載の発明は、調理時に発生した油煙に含まれる油分の濃度を測定できる油煙測定手段を備え、前記油煙測定手段によって測定された油煙濃度に応じて、循環口から排出する風量を自動で調節することができる自動制御手段を有しているものであり、煮物などあまり油煙の発生しない調理の場合に低騒音でかつ余分なエネルギーを消費することを防ぐという作用を有する。
【００２８】
本発明のより具体的な実施の形態について図面を参照しながら説明する。なお、従来のレンジフードと同一であるものについては同一番号を附す。
【００２９】
（実施の形態１）
図１に示すように、実施の形態１におけるレンジフードは、箱状で下面に吸込口１０１と循環口１を有し、上面に廃気口１０２を設けた本体１０３と、吸込口１０１から廃気口１０２と循環口１へ空気を流通させる送風機１０４と、吸込口１０１と送風機１０４の間に設けられ、吸込口１０１から吸込まれた空気に含まれている油分を捕集する油捕集手段１０５と、本体１０３の下面に平行で端部にリブ２を有する循環口誘導板３と、吸込口１０１近傍に設けられている吸込口誘導板４と、循環口誘導板３の最下部近傍に設けられ着脱可能な油受け部５と、油受け部５に溜まった油分を分解するために油受け部５の底に設けられた分解装置６と、循環口１に設けられ循環口１の開口面積を変更する電動ダンパ７と、油捕集手段１０５の風下側に設けられ電動ダンパ７ならびに送風機１０４に対して配線されている油煙濃度センサ８と、油受け部５に溜まった油量を測定する油量センサ９で構成されている。
【００３０】
ここで、図２に示すように送風機１０４は、シロッコ型の羽根１１と、羽根１１の回転数を制御することができるモータ１２と、油捕集手段１０５を通過した空気を送風機１０４内に導入する導入口１３と廃気口１０２と循環口１とを有するケーシング１４で構成されている。なお、図２においてモータ１２は省略している。
【００３１】
また、油捕集手段１０５として掃除性を考慮してパンチングメタルフィルタを、分解装置６として加熱ヒータをそれぞれ用いている。また、本体１０３の下面ならびに循環口誘導板３の循環口１側にはシリコン塗装もしくはフッ素塗装による防汚処理が施してあり、さらに図１に示すように水平に対して一定の傾斜を有しているものである。
【００３２】
そして、上記構成を有したレンジフードを調理器具の上方に設置し、廃気口１０２と屋外とをダクトにて連通させる。なお、図１において屋外ならびに前記ダクトは省略している。
【００３３】
上記の構成によれば、調理器具の上方に設置することによって、調理時に発生した油煙は吸込口１０１より本体１０３に吸込まれ、油捕集手段１０５に衝突することによって油分が捕集される。そして油捕集手段１０５を通過した油煙は導入口１３より廃気口１０２と循環口１へ分岐し、廃気口１０２へ流通した空気はダクトを通って屋外へ排出され、循環口１へ流通した空気は循環口誘導板３によって吸込口１０１方向へ誘導され、吸込口誘導板４によって再び吸込口１０１からフード内部へ流通することとなる。
【００３４】
そして、油捕集手段１０５を通過した空気の一部は循環口１から吸込口１０１へ流通し、再度油捕集手段１０５へ衝突吸着されるので、従来のレンジフードに対してより浄化された空気を屋外に廃出することができる。
【００３５】
また、循環口１より吹出した空気は循環口誘導板３に沿って流れ、リブ２によって空気の主流が循環口誘導板３から本体１０３の下面へ移動し、吸込口１０１よりレンジフード内部に流入するため、前記空気が誘導流となって調理台から上昇してくる油煙を巻き込んで捕集し、その結果従来のレンジフードと比較して良好な捕集性能を得ることができる。
【００３６】
また、調理時に発生する油煙に含まれる油分は、油捕集手段１０５以外にも循環口誘導板３や本体１０３の下面に付着するが、上記の面に施した防汚処理ならびに水平面に対する一定の傾斜により油受け部５に滴下するため、本体ならびに循環口誘導板３を掃除する手間を省くことができる。また、図１には記載していないが、本体１０３の前面に、油受け部５に溜まった油量を表示させる表示パネルや、油量が一定量を越えたときに調理者に知らせる警報手段としてのランプを設置し、油量センサ９と配線させることで、油量が一定量を越えたときに調理者に油受け部５の掃除を促し、その結果油受け部５から油が溢れることを防ぐことができる。また、分解装置６を備えている場合、油量センサと配線させることで、油量が一定量を越えた時に分解装置６を作動させて油を水と二酸化炭素に分解することができるため、掃除をする手間を省くことができる。油量センサ９としてはフロートスイッチ等がある。
【００３７】
また、煮物等の油煙の発生しない調理の場合は循環させる必要がない。そこで、電動ダンパ７を閉じ、送風機１０４の風量を電動ダンパ７開放時における廃気口１０２からの廃気風量になるように調節することによって、従来と同等の廃気捕集効率を有しつつ低騒音でかつ余分な電力を消費することを防ぐことができる。なお、電動ダンパ７の開閉ならびに送風機１０４の風量調節は、調理の種類によって調理者が切替えるという方法も考えられるが、油捕集装置１０５を通過した油煙濃度を油煙濃度センサ８によって検知し、その油煙濃度によって電動ダンパ７ならびに送風機１０４の風量を自動制御することも考えられる。
【産業上の利用可能性】
【００３８】
本発明によれば、調理時に発生する油煙中の油分を容易かつ効率よく捕集するレンジフードを提供することができる、調理時に発生する油煙を浄化してから屋外に排出するレンジフードとして有用である。
【図面の簡単な説明】
【００３９】
【図１】本発明の実施の形態１におけるレンジフードの概略図
【図２】同実施の形態1における送風機の概略断面図
【図３】従来のレンジフードの概略断面図
【符号の説明】
【００４０】
１    循環口
２    リブ
３    循環口誘導板
４    吸込口誘導板
５    油受け部
６    分解装置
７    電動ダンパ
８    油煙濃度センサ
９    油量センサ
１１  羽根
１２  モータ
１３  導入口
１４  ケーシング
１０１  吸込口
１０２  廃気口
１０３  本体
１０４  送風機
１０５  油捕集手段
【図１】
2006214618.tif 000003
【図２】
2006214618.tif 000004
【図３】
2006214618.tif 000005